【手続補正書】
【提出日】平成18年12月22日(2006.12.22)
【手続補正１】
【補正対象書類名】特許請求の範囲
【補正対象項目名】全文
【補正方法】変更
【補正の内容】
【特許請求の範囲】
【請求項１】
ローラを回転することにより記録媒体を搬送するローラユニットと、
湿潤な雰囲気を発生させる湿潤発生手段と、
前記ローラユニットにて搬送される前記記録媒体を検出する検出センサと、
前記湿潤発生手段の駆動を制御する制御部と
前記記録媒体に液滴を吐出し前記記録媒体に記録する記録部とを備えたことを特徴とする記録装置。
【請求項２】
請求項１に記載の記録装置において、
前記湿潤発生手段は、前記ローラの回転に付随しない状態に設置されていることを特徴とする記録装置。
【請求項３】
請求項１又は２に記載の記録装置において、
前記湿潤発生手段は、前記記録装置の筐体を構成する部材に取外し可能な状態で設置されていることを特徴とする記録装置。
【請求項４】
請求項１乃至３の何れかに記載の記録装置において、
前記湿潤発生手段は、前記ローラを介して前記湿潤な雰囲気を発生させることを特徴とする記録装置。
【請求項５】
請求項１乃至４の何れかに記載の記録装置において、
前記湿潤発生手段は、前記記録媒体に対して前記湿潤な雰囲気を発生させることを特徴とする記録装置。
【請求項６】
請求項１乃至５の何れかに記載の記録装置において、
前記検出センサは、前記搬送される前記記録媒体の位置を検出する位置検出センサであることを特徴とする記録装置。
【請求項７】
請求項６に記載の記録装置において、
前記検出センサにより検出する前記記録媒体の位置は、前記記録媒体の先端位置であることを特徴とする記録装置。
【請求項８】
請求項１乃至７のいずれかに記載の記録装置において、
前記検出センサの検出情報に基づき、前記制御部は、所定の設定時間を経過した後、前記ローラの回転が開始されるように、前記ローラの回転を制御することを特徴とする記録装置。
【請求項９】
請求項１乃至８のいずれかに記載の記録装置において、
前記記録部周辺の湿度を検出する湿度センサを備え、前記制御部は、前記湿度センサの検出情報に基づき、前記湿潤な雰囲気を調整するように前記湿潤発生手段の駆動を制御することを特徴とする記録装置。
【請求項１０】
請求項１乃至９の何れか一項に記載の記録装置において、
前記湿潤発生手段は、液体を収容する液体収容手段と、前記液体収容手段にある前記液体を用いて前記湿潤な雰囲気にする加熱手段とを含むことを特徴とする記録装置。
【請求項１１】
請求項１乃至９の何れか一項に記載の記録装置において、
前記湿潤発生手段は、液体を収容する液体収容手段と、前記液体収容手段にある前記液体に超音波振動を付与して前記湿潤な雰囲気にする超音波発生手段とを含むことを特徴とする記録装置。
【請求項１２】
請求項１乃至９の何れか一項に記載の記録装置において、
前記湿潤発生手段は、液体を収容する液体収容手段と、前記液体収容手段にある前記液体に外面が接触可能に配されるとともに前記ローラに従動して回転する転写ローラと、湿潤量を調節する湿潤調節手段とを備えたことを特徴とする記録装置。
【請求項１３】
請求項１２に記載の記憶装置において、
前記湿潤調節手段は、前記転写ローラと前記液体収容手段にある前記液体との接触量を増減可能に構成されていることを特徴とする記録装置。
【請求項１４】
請求項１２に記載の記憶装置において、
前記湿潤調節手段は、転写ローラに対して接触する前記液体の接触量を増減可能に構成されていることを特徴とする記録装置。
【請求項１５】
請求項１乃至９の何れか一項に記載の記録装置において、
前記湿潤発生手段は、液体を収容する液体収容手段と、前記液体収容手段にある前記液体の液滴を吐出することで前記湿潤な雰囲気にする液体吐出ヘッドとを含むことを特徴とする記録装置。
【請求項１６】
請求項１０乃至１５の何れか一項に記載の記録装置において、
前記液体収容手段は、容器であることを特徴とする記録装置。
【請求項１７】
請求項１０乃至１６の何れか一項に記載の記録装置において、
前記液体は、機能性液体であることを特徴とする記録装置。
【手続補正２】
【補正対象書類名】明細書
【補正対象項目名】０００７
【補正方法】変更
【補正の内容】
【０００７】
上記問題を解決するために、本発明の記録装置は、ローラを回転することにより記録媒体を搬送するローラユニットと、湿潤な雰囲気を発生させる湿潤発生手段と、前記ローラユニットにて搬送される前記記録媒体の先端位置を検出する位置検出センサと、前記湿潤発生手段の駆動を制御する制御部と、前記記録媒体に液滴を吐出し前記記録媒体に記録する記録部とを備えたことを特徴とする。
また、本発明の記録装置は、前記湿潤発生手段は、前記ローラの回転に付随しない状態で、前記記録装置の筐体を構成する部材に取外し可能な状態で設置されていることを特徴とする。
また、本発明の記録装置は、前記湿潤発生手段は、前記ローラを介して前記湿潤な雰囲気を発生させることを特徴とする。
また、本発明の記録装置は、前記湿潤発生手段は、前記記録媒体に対して前記湿潤な雰囲気を発生させることを特徴とする。
上記構成によれば、記録媒体を搬送するローラユニットを介して記録媒体に湿潤を付与するように構成され、記録媒体の先端位置を検出する位置検出センサの検出情報に基づき、記録媒体の位置に応じてローラユニット内の湿潤発生手段を駆動させることが可能となり、記録媒体が搬送されてくる必要なときに湿潤発生手段を駆動させることが可能となる。そして、湿潤発生手段により記録媒体に湿潤を付与することで、記録媒体のカールや局所曲がりを確実に抑え、記録媒体の汚れや記録ヘッドの吐出面の損傷等がなく、しかも小型化が可能な記録装置を提供することができる。
【手続補正３】
【補正対象書類名】明細書
【補正対象項目名】０００８
【補正方法】変更
【補正の内容】
【０００８】
また、本発明の記録装置は、前記検出センサの検出情報に基づき、前記制御部は、所定の設定時間を経過した後、前記ローラの回転が開始されるように、前記ローラの回転を制御することを特徴とする。
上記構成によれば、位置検出センサの検出情報に基づきローラユニットの回転を制御することにより、ローラユニットによる記録媒体の搬送の開始で必要な湿潤雰囲気の発生量が確保されてから、記録媒体への湿潤の付与をすることができる。あわせて、ローラユニットによる記録媒体の搬送開始タイミングを調整するので、湿潤発生手段の駆動開始タイミングを遅らせることが可能となり、その分、湿潤発生手段の駆動による消費エネルギーを節約しやすくなり、記録装置の省エネルギーを図ることもできる。
【手続補正４】
【補正対象書類名】明細書
【補正対象項目名】０００９
【補正方法】変更
【補正の内容】
【０００９】
また、本発明の記録装置は、記録装置の前記記録部周辺の環境を検出する環境センサを備え、前記制御部は、前記環境センサの検出情報に基づき、前記湿潤な雰囲気を調整するように前記湿潤発生手段の駆動を制御することを特徴とする。
上記構成によれば、記録媒体を搬送するローラユニットを介して記録媒体に湿潤を付与するように構成され、記録媒体に湿潤を確実に付与することで、記録媒体のカールや局所曲がりを確実に抑えると共に、記録装置の環境を検出する環境センサを備え、環境センサの検出情報に基づいて湿潤発生手段の駆動を制御することにより、環境変化によって生じる記録媒体に記録する画像品質の差を低減した記録装置を提供することができる。
【手続補正５】
【補正対象書類名】明細書
【補正対象項目名】００１０
【補正方法】変更
【補正の内容】
【００１０】
また、本発明の記録装置は、前記制御部は、前記環境センサにより検出された検出情報に基づき湿潤な雰囲気の発生量を調整するように、前記湿潤発生手段の駆動を制御することを特徴とする。
上記構成によれば、環境センサの検出情報に基づいて湿潤発生手段の駆動を制御し、雰囲気に対応した適量の湿潤を記録媒体に付与することができる。よって、環境変化によって生じる用紙Ｐに記録する画像品質の差（バラツキ）を低減した記録装置を提供することができる。
【手続補正６】
【補正対象書類名】明細書
【補正対象項目名】００１２
【補正方法】変更
【補正の内容】
【００１２】
また、本発明の記録装置は、前記湿潤発生手段は、液体を収容する液体収容手段と、前記液体収容手段にある前記液体を用いて湿潤な雰囲気にする加熱手段とを含むことを特徴とする。
上記構成によれば、液体保持手段に保持する液体に加熱手段で加熱することにより、記録媒体に付与する湿潤を容易に放出することができる。
【手続補正７】
【補正対象書類名】明細書
【補正対象項目名】００１３
【補正方法】変更
【補正の内容】
【００１３】
また、本発明の記録装置は、前記湿潤発生手段は、液体を収容する液体収容手段と、前記液体収容手段にある前記液体に超音波振動を付与して前記湿潤な雰囲気にする超音波発生手段とを含むことを特徴とする。
上記構成によれば、液体保持手段に保持する液体に超音波発生手段の超音波を用いることにより、記録媒体に付与する湿潤（ミスト）を容易に放出することができる。また、超音波発生手段は、電圧が印加されれば直ちに液体の霧化粒子（ミスト）を発生させるので、記録媒体への記録（印刷）のスループット向上が図れる。
【手続補正８】
【補正対象書類名】明細書
【補正対象項目名】００１４
【補正方法】変更
【補正の内容】
【００１４】
また、本発明の記録装置は、前記湿潤発生手段は、液体を収容する液体収容手段と、前記液体保持手段にある前記液体に外面が接触可能に配されるとともに前記ローラに従動して回転する転写ローラと、湿潤量を調節する湿潤調節手段とを備えたことを特徴とする。
また、本発明の記録装置は、前記湿潤調節手段は、前記転写ローラと前記液体収容手段にある前記液体との接触量を増減可能に構成されていることを特徴とする。
また、本発明の記録装置は、前記湿潤調節手段は、転写ローラに対して接触する前記液体の接触量を増減可能に構成されていることを特徴とする。
上記構成によれば、駆動ローラに従動して回転する転写ローラを備えることにより、液体保持手段に保持する液体を転写ローラ及び駆動ローラの外周面に付着させて、記録媒体に湿潤を容易に付与することができる。
【手続補正９】
【補正対象書類名】明細書
【補正対象項目名】００１５
【補正方法】変更
【補正の内容】
【００１５】
また、本発明の記録装置は、前記湿潤発生手段は、液体を収容する液体収容手段と、前記液体収容手段にある前記液体の液滴を吐出することで前記湿潤な雰囲気にする液体吐出ヘッドを含むことを特徴とする。
上記構成によれば、液体保持手段に保持する液体を液体吐出ヘッドから吐出することにより、記録媒体に付与する湿潤（液滴）を容易に放出することができる。
また、本発明の記録装置は、前記液体保持手段は、容器であることを特徴とする。